(57)【要約】【課題】  可動部材が固定された部材に対してある方向に沿って動くのを防止可能なスライドレールアセンブリを提供すること。【解決手段】  スライドレールアセンブリは第１のレール、第２のレール及び補助部材を含む。第２のレールは第１のレールに対して可動である。補助部材は第１のレール及び第２のレールのうちの一方に対して第１の状態及び第２の状態の間で操作されるように構成されている。補助部材が第１の状態にある場合、第２のレールは第１のレールに対してある方向に沿ってある位置から所定の距離動くことができる。補助部材が第２の状態にある場合、補助部材は、第２のレールが第１のレールに対してある方向に沿ってある位置から所定の距離動くのを防止するように構成されている。【選択図】  図１
2018008013.tif 000002
【特許請求の範囲】
【請求項１】
当接機構を含む第１のレールと、
前記第１のレールに対して可動な第２のレールと、
前記第２のレールに対して作動的に連結される補助部材と、
弾性部材を含む駆動装置と、
を含むスライドレールアセンブリであって、
前記第２のレールが第１の方向に沿って引っ込め位置から所定の距離動かされると、前記弾性部材は、前記第２のレールを駆動して前記第１のレールに対して第２の方向に沿って動かすために前記第２のレールに弾性力を提供するように構成され、
前記第２のレールが前記第１のレールに対して前記引っ込め位置にあり且つ前記補助部材が第１の状態になるよう操作されると、前記第２のレールは前記第１のレールに対して前記第１の方向に沿って前記所定の距離動くことができ、
前記第２のレールが前記第１のレールに対して前記引っ込め位置にあり且つ前記補助部材が第２の状態になるよう操作されると、前記補助部材が前記第１のレールの当接機構にブロックされることにより、前記第２のレールは、前記第１のレールに対して前記第１の方向に沿って前記所定の距離動くのが防止される、スライドレールアセンブリ。
【請求項２】
前記第２のレールに取り付けられる接触部材をさらに含み、前記補助部材は該接触部材に作動的に連結される、請求項１に記載のスライドレールアセンブリ。
【請求項３】
前記駆動装置は、前記弾性力を蓄積するために前記弾性部材を保持するように構成された係合部材をさらに含む、請求項１に記載のスライドレールアセンブリ。
【請求項４】
第１のレールと、
前記第１のレールに対して可動な第２のレールと、
前記第１のレール及び前記第２のレールのうちの一方に対して第１の状態及び第２の状態の間で操作されるように構成された補助部材と、
を含むスライドレールアセンブリであって、
前記補助部材が第１の状態にある場合、前記第２のレールは前記第１のレールに対して第１の方向に沿ってある位置から所定の距離動くことができ、
前記補助部材が第２の状態にある場合、前記補助部材は、前記第２のレールが前記第１のレールに対して前記第１の方向に沿って前記ある位置から前記所定の距離動くのを防止するように構成されている、スライドレールアセンブリ。
【請求項５】
前記第１のレールは当接機構を含み、前記補助部材は前記第２のレールに作動的に連結され、前記ある位置は引っ込め位置であり、前記補助部材が第２の状態にある場合、前記補助部材は、前記第２のレールが前記第１のレールに対して前記第１の方向に沿って前記引っ込め位置から前記所定の距離動くのが防止されるように前記第１のレールの当接機構によりブロックされるように構成されている、請求項４に記載のスライドレールアセンブリ。
【請求項６】
前記第２のレールに取り付けられる接触部材をさらに含み、前記補助部材は該接触部材に作動的に連結される、請求項５に記載のスライドレールアセンブリ。
【請求項７】
駆動装置をさらに含み、該駆動装置は弾性部材を含み、前記補助部材が第１の状態にあり且つ前記第２のレールが前記第１のレールに対して前記第１の方向に沿って前記引っ込め位置から前記所定の距離動かされると、前記弾性部材は弾性力を放出して前記第２のレールを前記第１のレールに対して第２の方向に沿って動かすように構成されている、請求項５に記載のスライドレールアセンブリ。
【請求項８】
前記駆動装置は、前記弾性力を蓄積するために前記弾性部材を保持するように構成された係合部材をさらに含む、請求項７に記載のスライドレールアセンブリ。
【請求項９】
家具アセンブリに取り付けられるように構成されたスライドレールアセンブリであって、該家具アセンブリは第１の家具部及び第２の家具部を含み、当該スライドレールアセンブリは、
前記第１の家具部に取り付けられるように構成された第１のレールであって、該第１のレールは当接機構を含む、第１のレールと、
前記第１のレールに対して可動であるとともに、前記第２の家具部を保持するように構成される第２のレールと、
前記第２のレールに作動的に連結される補助部材と、
を含み、
前記補助部材が第１の状態にある場合、前記第２のレールは前記第１のレールに対して第１の方向に沿って引っ込め位置から所定の距離動くことができ、
前記補助部材が第１の状態から第２の状態に切り替えられると、前記補助部材は、前記第２のレールが前記第１のレールに対して前記第１の方向に沿って前記引っ込め位置から前記所定の距離動くのを防止するために前記第１のレールの当接機構によってブロックされる、スライドレールアセンブリ。
【請求項１０】
前記第２のレールに取り付けられる接触部材を含み、前記補助部材は該接触部材に作動的に連結される、請求項９に記載のスライドレールアセンブリ。
【請求項１１】
駆動装置をさらに含み、該駆動装置は弾性部材を含み、前記補助部材が第１の状態にあり且つ前記第２のレールが前記第１のレールに対して前記第１の方向に沿って前記引っ込め位置から前記所定の距離動かされると、前記弾性部材は弾性力を放出して前記第２のレールを前記第１のレールに対して第２の方向に沿って動かすように構成されている、請求項９に記載のスライドレールアセンブリ。
【請求項１２】
前記駆動装置は、前記弾性力を蓄積するために前記弾性部材を保持するように構成された係合部材をさらに含む、請求項１１に記載のスライドレールアセンブリ。
【発明の詳細な説明】
【技術分野】
【０００１】
本発明はスライドレールアセンブリに関し、より具体的には家具アセンブリに適用可能なスライドレールアセンブリに関する。
【背景技術】
【０００２】
一般に、家具アセンブリ又は備品（equipment）は固定された部材と、該固定された部材に対して可動な可動部材とを通常含む（引き出しシステムを例にとると、引き出しはキャビネットに対して可動である）。外力が加えられるか又は地震が起きて振動がもたらされると、それに従って家具アセンブリ又は備品の可動部材が固定された部材に対して動いて、家具アセンブリ又は備品が意図せずに開くか又は閉まることがある。したがって、安全性を考慮して、家具アセンブリ又は備品の可動部材が固定された部材に対してある方向に沿って動くのを防止することができる製品を開発することが重要である。
【先行技術文献】
【特許文献】
【０００３】
【特許文献１】米国特許第８１７２３４５号明細書
【特許文献２】米国特許第８８０１１２０号明細書
【特許文献３】米国特許出願公開第２０１４／０００１９３８号明細書
【特許文献４】米国特許出願公開第２０１４／０３６３１０７号明細書
【発明の概要】
【発明が解決しようとする課題】
【０００４】
本発明は、レールが別のレールに対してある方向に沿って所定の距離動くことができるかどうかを決定するように構成された補助部材を含むスライドレールアセンブリに関する。
【課題を解決するための手段】
【０００５】
本発明の一実施形態によれば、スライドレールアセンブリは第１のレール、第２のレール、補助部材及び駆動装置を含む。第１のレールは当接機構を含む。第２のレールは第１のレールに対して可動である。補助部材は第２のレールに対して作動的に連結される。駆動装置は弾性部材を含む。第２のレールが第１の方向に沿って引っ込め位置から所定の距離動かされると、弾性部材は、第２のレールを駆動して第１のレールに対して第２の方向に沿って動かすために第２のレールに弾性力を提供するように構成されている。第２のレールが第１のレールに対して引っ込め位置にあり且つ補助部材が第１の状態になるよう操作されると、第２のレールは第１のレールに対して第１の方向に沿って所定の距離動くことができる。第２のレールが第１のレールに対して引っ込め位置にあり且つ補助部材が第２の状態になるよう操作されると、補助部材が第１のレールの当接機構にブロックされることにより、第２のレールは、第１のレールに対して第１の方向に沿って所定の距離動くのが防止される。
【０００６】
前記スライドレールアセンブリは第２のレールに取り付けられる接触部材をさらに含み、補助部材は該接触部材に作動的に連結されることが好ましい。
【０００７】
駆動装置は、弾性力を蓄積するために弾性部材を保持するように構成された係合部材をさらに含むことが好ましい。
【０００８】
本発明の別の実施形態によれば、スライドレールアセンブリは第１のレール、第２のレール及び補助部材を含む。第２のレールは第１のレールに対して可動である。補助部材は第１のレール及び第２のレールのうちの一方に対して第１の状態及び第２の状態の間で操作されるように構成されている。補助部材が第１の状態にある場合、第２のレールは第１のレールに対して第１の方向に沿ってある位置から所定の距離動くことができる。補助部材が第２の状態にある場合、補助部材は、第２のレールが第１のレールに対して第１の方向に沿ってある位置から所定の距離動くのを防止するように構成されている。
【０００９】
本発明のさらに別の実施形態によれば、家具アセンブリに取り付けられるように構成されたスライドレールアセンブリが提供される。家具アセンブリは第１の家具部及び第２の家具部を含む。スライドレールアセンブリは第１のレール、第２のレール及び補助部材を含む。第１のレールは第１の家具部に取り付けられるように構成されている。第１のレールは当接機構を含む。第２のレールは第１のレールに対して可動であるとともに、第２の家具部を保持するように構成されている。補助部材は第２のレールに作動的に連結される。
補助部材が第１の状態にある場合、第２のレールは第１のレールに対して第１の方向に沿って引っ込め位置から所定の距離動くことができる。補助部材が第１の状態から第２の状態に切り替えられると、補助部材は、第２のレールが第１のレールに対して第１の方向に沿って引っ込め位置から所定の距離動くのを防止するために第１のレールの当接機構によってブロックされる。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、本発明の一実施形態に係る、第１の家具部及び第２の家具部に適用されたスライドレールアセンブリを示す図である。
【図２】図２は、第２の家具部がない状態の図１のスライドレールアセンブリを示す図である。
【図３】図３は、本発明の一実施形態に係るスライドレールアセンブリを示す図である。
【図４】図４は、本発明の一実施形態に係るスライドレールアセンブリの分解図である。
【図５】図５は、本発明の一実施形態に係る、レールに対して第１の状態にあるスライドレールアセンブリの補助部材を示す図である。
【図６】図６は、本発明の一実施形態に係る、レールに対して第２の状態にあるスライドレールアセンブリの補助部材を示す図である。
【図７】図７は、本発明の一実施形態に係る、第１の家具部及び第２の家具部を含む家具アセンブリを示す図である。
【図８】図８は、図７の家具アセンブリの側面図である。
【図９】図９は、本発明の一実施形態に係る、第１の家具部に対してある位置に位置する家具アセンブリの第２の家具部を示す図であり、補助部材は第１の状態にある。
【図１０】図１０は、第１の家具部に対して第１の方向に沿って動かされた図９の第２の家具部を示す図である。
【図１１】図１１は、駆動装置の弾性部材の弾性力に反応して、第１の家具部に対して第２の方向に沿って動かされた図１０の第２の家具部を示す図である。
【図１２】図１２は、本発明の一実施形態に係る、第１の家具部に対してある位置に位置する家具アセンブリの第２の家具部を示す図であり、補助部材は第２の状態にある。
【発明を実施するための形態】
【００１２】
図１及び図２は本発明の一実施形態に係る、第１の家具部２２及び第２の家具部２４を含む家具アセンブリ２０を示す。本実施形態では、第１の家具部２２がキャビネットであり、第２の家具部２４が引き出しであるが、本発明はこの構成に限定されない。スライドレールアセンブリ２６の支援により、第２の家具部２４が第１の家具部２２に対して可動であることが好ましい。
【００１３】
具体的には、各スライドレールアセンブリ２６は第１のレール２８と、第１のレール２８に対して可動な第２のレール３０を含む。スライドレールアセンブリ２６は、第１のレール２８に対する第２のレール３０の移動距離伸長するように構成された第３のレール３２をさらに含むことが好ましい。第１のレール２８は、第１のレール２８を第１の家具部２２の一部とみなすことができるように第１の家具部２２に取り付けられている。他方、第２のレール３０は、第２のレール３０を第２の家具部２４の一部とみなすことができるように、第２の家具部２４を保持するために第２の家具部２４に取り付けられている。第１のレール２８が伸長部３４を含み、第２のレール３０が保持部３６を含むことが好ましい。
【００１４】
図３に示すように、第２のレール３０は第１のレール２８に対して引っ込め位置Ｒに位置している。第２のレール３０が引っ込め位置Ｒにある場合、第２のレール３０の保持部３６の位置は第１のレール２８の伸長部３４に対応する。
【００１５】
図４に示すように、スライドレールアセンブリ２６は補助部材３８をさらに含む。補助部材３８は第１のレール２８及び第２のレール３０のうちの一方に作動的に連結されている。本実施形態では、補助部材３８は第２のレール３０に作動的に連結されている。スライドレールアセンブリ２６は第２のレール３０に取り付けられる接触部材４０をさらに含むことが好ましい。第２のレール３０の保持部３６は接触部材４０を貫通させる開口４２を備える。接触部材４０はリベット留め、ネジ留め、係合又は溶接により第２のレール３０に固定できる。そのため、接触部材４０は第２のレール３０の一部とみなすことができる。あるいは、接触部材４０を第２のレール３０に直接且つ一体的に形成することができるが、本発明はこの構成に限定されない。
【００１６】
補助部材３８は第２のレール３０の接触部材４０に枢結できるか又は補助部材３８は第２のレール３０の接触部材４０に着脱可能に取り付けることができるが、本発明はこの構成に限定されない。他方、第１のレール２８は当接機構４４を含む。当接機構４４は第１のレール２８に取り付けられる要素であってもよいし、当接機構４４は第１のレール２８に直接形成することもできる。本実施形態では、当接機構４４は伸長部３４に位置する壁構造として形成されている。
【００１７】
図５及び図６に示すように、補助部材３８は、第２のレール３０に対して第１の状態Ｓ１と第２の状態Ｓ２との間で操作されるように構成されている。本実施形態では、補助部材３８は接触部材４０に対して第１の状態Ｓ１から第２の状態Ｓ２に（曲線矢印で示すように）１８０°回転される。
【００１８】
図７及び図８に示すように、第２の家具部２４（又は第２のレール３０）が第１の家具部２２（又は第１のレール２８）に対して押し開けモード（push-open  mode）で配置され、引っ込め位置Ｒに位置する場合、ユーザーが第２の家具部２４を押して第２の家具部２４を第１の家具部２２に対して開くことができるように第２の家具部２４と第１の家具部２２との間に所定の距離Ｄが定義される。
【００１９】
図９に示すように、家具アセンブリ２０（又はスライドレールアセンブリ２６）は駆動装置４６をさらに含む。駆動装置４６は少なくとも１つの弾性部材を含む。本実施形態では、駆動装置４６は１つの弾性部材４８のみを含む。弾性部材４８は第２の家具部２４（又は第２のレール３０）に弾性力を放出するように構成されている。駆動装置４６は係合部材５０をさらに含むことが好ましい。本実施形態では、係合部材５０は第２のレール３０に直接又は間接的に配置することができる。弾性部材４８は弾性力を蓄積するために係合部材５０により所定の位置で保持することができる。
【００２０】
弾性力を蓄積するために係合部材５０により保持されるように構成された少なくとも１つの弾性部材４８を含む駆動装置４６の構成は当業者に自明である。簡略化のために、さらなる説明は省略する。参考までに特許文献１を記載する。
【００２１】
さらに、第２の家具部２４（又は第２のレール３０）が第１の家具部２２（又は第１のレール２８）に対してある位置（引っ込め位置Ｒ等）に位置し、補助部材３８が第１の状態Ｓ１にある場合、第２のレール３０の接触部材４０（又は補助部材３８）と第１のレール２８の当接機構４４との間に所定の間隙Ｇが定義される。所定の間隙Ｇは所定の距離Ｄと実質的に等しいことが好ましい。
【００２２】
図９及び図１０に示すように、所定の距離Ｄにより、ユーザーが第２の家具部２４（又は第２のレール３０）に第１の方向Ｄ１に沿って力を加えると、第２の家具部２４（又は第２のレール３０）が第１の家具部２２（又は第１のレール２８）に対して第１の方向Ｄ１に沿って引っ込め位置Ｒから所定の距離Ｄ動かされる。
【００２３】
図１０及び図１１に示すように、第２の家具部２４（又は第２のレール３０）が第１の家具部２２（又は第１のレール２８）に対して所定の距離Ｄ動かされると、係合部材５０は所定の位置から遠ざかることができる。例えば、係合部材５０は所定の位置から遠ざかるために駆動装置４６の物体５１によって誘導又は駆動することができる。即ち、弾性部材４８は弾性力を放出することができる。
【００２４】
弾性部材４８が弾性力を放出すると、第２のレール３０は、弾性部材４８の弾性力に反応して第１のレール２８に対して第２の方向Ｄ２の沿って動くことができる。即ち、駆動装置４６の支援により、第２のレール３０を第１のレール２８に対して引っ込め位置Ｒから第２の方向Ｄ２に沿って自動的に開くことができる。
【００２５】
換言すると、第２のレール３０が第１のレール２８に対して第１の方向Ｄ１に沿って引っ込め位置Ｒから所定の距離Ｄ動かされると、弾性部材４８は、第２のレール３０を弾性力に反応して第１のレール２８に対して第２の方向Ｄ２に沿って動かすことができるように第２のレール３０に弾性力を提供することができる。
【００２６】
図１２に示すように、第２の家具部２４（又は第２のレール３０）が第１の家具部２２（又は第１のレール２８）に対して引っ込め位置Ｒに位置し、補助部材３８が第２の状態Ｓ２にある場合、補助部材３８は、第２のレール３０が第１のレール２８に対して第１の方向Ｄ１に沿って所定の距離Ｄ動くことができないように、第１のレール２８の当接機構４４によってブロックされる。即ち、補助部材３８が第２の状態Ｓ２にある場合、補助部材３８は第２のレール３０が第１のレール２８に対して第１の方向Ｄ１に沿って引っ込め位置Ｒから所定の距離Ｄ動くのを防止するように構成されている。
【００２７】
具体的には、ユーザーが第１の方向Ｄ１に沿って第２の家具部２４（又は第２のレール３０）に力を加えても、所定の間隙Ｇがもはや存在しないか又は非常に小さくなり、第２の家具部２４が押し開け動作のために十分な空間を有さないように第２の状態Ｓ２にある補助部材３８は第１のレール２８の当接機構４４によってブロックされる。したがって、第２の家具部２４（又は第２のレール３０）は、弾性力が第２の家具部２４（又は第２のレール３０）に放出されることなく弾性力が蓄積されるよう駆動装置４６の弾性部材４８を保持するために係合部材５０が所定の位置に残るようにするために、第１の家具部２２（又は第１のレール２８）に対して第１の方向Ｄ１に沿って引っ込め位置Ｒから所定の距離Ｄ動くことができない。即ち、第２の家具部２４（又は第２のレール３０）は第１の家具部２２（又は第１のレール２８）に対して（第１の方向Ｄ１とは反対側の）第２の方向Ｄ２に沿って引っ込め位置Ｒから自動的に開くことができない。
【００２８】
当業者であれば、本発明の教示を維持しながら多くの変更及び改良が装置及び方法に加えられ得ることに容易に気付く。したがって、上記の開示は、添付の請求項の範囲によってのみ限定されると解釈すべきである。
【符号の説明】
【００２９】
２０  家具アセンブリ
２２  第１の家具部
２４  第２の家具部
２６  スライドレールアセンブリ
２８  第１のレール
３０  第２のレール
３２  第３のレール
３４  伸長部
３６  保持部
３８  補助部材
４０  接触部材
４２  開口
４４  当接機構
４６  駆動装置
４８  弾性部材
５０  係合部材
【図１】
2018008013.tif 000003
【図２】
2018008013.tif 000004
【図３】
2018008013.tif 000005
【図４】
2018008013.tif 000006
【図５】
2018008013.tif 000007
【図６】
2018008013.tif 000008
【図７】
2018008013.tif 000009
【図８】
2018008013.tif 000010
【図９】
2018008013.tif 000011
【図１０】
2018008013.tif 000012
【図１１】
2018008013.tif 000013
【図１２】
2018008013.tif 000014